(57)【要約】【課題】箸袋に付加価値として加えられた情報表示が有効に利用されやすい箸袋を提供する。【解決手段】箸袋１０は、箸Ａを入れるための袋本体１４と、箸Ａとともに袋本体１４に収容される情報表示片１２で構成される。情報表示片１２にはくじや宣伝広告等の適宜の情報を表示する。箸袋１０の袋本体１４には、表面に「おてもと」の文言や店名等を表示するとともに、例えば「くじつき」の文言を表示しておく。情報表示片１２は、箸袋から箸を取り出す際に、箸とともに取り出され、あるいはまた、箸を取り出す際に自然に箸袋から引き出される。【選択図】図１
0003123829.tif 000002
【実用新案登録請求の範囲】
【請求項１】
情報表示片を収容してなることを特徴とする箸袋。
【請求項２】
前記情報表示片がくじであることを特徴とする請求項１記載の箸袋。
【請求項３】
前記情報表示片に表示される情報が宣伝広告であることを特徴とする請求項１記載の箸袋。
【請求項４】
前記情報表示片が爪楊枝を入れた袋であることを特徴とする請求項１〜３のいずれか１項に記載の箸袋。
【請求項５】
前記情報表示片および箸を収容した状態で封緘されてなることを特徴とする請求項１〜４のいずれか１項に記載の箸袋。
【考案の詳細な説明】
【技術分野】
【０００１】
本考案は、箸袋に関するものである。
【背景技術】
【０００２】
飲食店や弁当屋等において、飲食物とともに割り箸が提供される。この割り箸は主に衛生上の理由から箸袋に入れた状態で供される。箸袋は、従来は、例えば祝い箸等に見られるように袋の一端部を開放状態として箸の一端を覗かせた形式のものが多かったが、最近は、上記した衛生上の観点から両端を封緘して箸を箸袋内に密閉した状態で取り扱われることも多い。
【０００３】
従来の箸袋は、袋の表裏面に「おてもと」の文言や飲食店等の店名等が表示されることが多い。ところが、これらの表示は、ありふれており、また定型的なものであるため、利用者の関心を引くことが少ない。
【０００４】
これに対して、箸袋に付加価値を加えることを目的とした種々の提案がなされている。
【０００５】
例えば、箸袋の内表面にクーポン券やスポンサー名を記載したものが提案されている（特許文献１参照）。
また、例えば、箸袋の内表面にくじ、運勢、占い等を記載したものも提案されている（例えば、特許文献２〜４参照）。
上記後者のくじ等を記載した箸袋の場合、箸を取り出した後、箸袋を展開して内表面を露出して初めて表示内容を知ることになるため、いわゆるおみくじを開いてみるときのような一種の楽しみが得られるものと考えられる。
【特許文献１】実用新案登録第３０９４００８号公報
【特許文献２】実用新案登録第３０９０５６７号公報
【特許文献３】実用新案登録第３０５２８１８号公報
【特許文献４】実開平７−１７７８５号公報
【考案の開示】
【考案が解決しようとする課題】
【０００６】
しかしながら、上記した内表面に宣伝広告やくじ等の情報を表示した箸袋は、いずれも、箸袋をわざわざ展開することの煩雑さを嫌って、箸を取り出した後は箸袋が展開されることなくそのまま放置され、付加価値が活かされないことが多いものと考えられる。また、使用後の箸を再度箸袋に収めることを好む人にとっては、上記のように箸袋を展開してしまうことは不都合であるため、箸袋を展開することを敢えて避けることも考えられる。
【０００７】
本考案は、上記の課題に鑑みてなされたものであり、箸袋に付加価値として加えられた情報表示が有効に利用されやすい箸袋を提供することを目的とする。
【課題を解決するための手段】
【０００８】
本考案に係る箸袋は、情報表示片を収容してなることを特徴とする。
【０００９】
また、本考案に係る箸袋は、前記情報表示片がくじであることを特徴とする。
【００１０】
また、本考案に係る箸袋は、前記情報表示片に表示される情報が宣伝広告であることを特徴とする。
【００１１】
また、本考案に係る箸袋は、前記情報表示片が爪楊枝を入れた袋であることを特徴とする。
【００１２】
また、本考案に係る箸袋は、前記情報表示片および箸を収容した状態で封緘されてなることを特徴とする。
【考案の効果】
【００１３】
本考案に係る箸袋は、情報表示片を収容するため、箸を使用する際に、箸とともに取り出される情報表示片を容易に見ることができるので、情報表示片に表示された情報が有効に利用されやすいという利点がある。
【考案を実施するための最良の形態】
【００１４】
本考案の実施の形態について、以下に説明する。
【００１５】
本考案に係る箸袋は、情報表示片を収容したものである。
情報表示片は、１枚の断片状のものに限らず、例えば爪楊枝を入れた袋等の袋状の形態のものを含む。後者の袋状の形態の情報表示片の場合、袋の表面に情報を表示する。また、情報表示片は折り畳んだものであってもよく、さらにまた、折り畳んだ状態で封緘したものであってもよい。また、情報表示片の材質は特に限定するものではなく、紙であってもよく、樹脂シート等であってもよい。また、情報表示片に着色を施しておけば、箸袋から取り出された情報表示片が人目を引きやすい。
情報表示片は、箸袋から箸を取り出す際に、箸とともに容易に取り出すことができ、あるいはまた、箸を取り出す際に自然に箸袋から引き出される。
【００１６】
情報表示片に表示される情報は、有用なものである限り、その内容を限定するものではない。例えば、情報表示片自体をくじとすると、箸を使用する人の関心を引くことができる。ここで、くじは、いわゆるおみくじに限らず、運勢、占い等や、さらにまた、景品等に交換できるあたりくじやクーポン券等を含む。また、くじに、飲食店の店名や電話番号等の宣伝広告情報を付記しておくと、宣伝広告の効果が得られやすい。
【００１７】
また、情報表示片に表示される情報は、宣伝広告であってもよい。宣伝広告が従来の箸袋のように袋の表面に記載されたものや、箸袋の内表面に記載されたものの場合、箸を使用する人の関心を引くことができないおそれがあるが、箸袋から情報表示片が出てくると、情報表示片に何が書かれているのだろうかとの関心を引くことができる。
宣伝広告の内容は、上記した飲食店の店名や電話番号等であってもよいが、これに限らない。例えば、飲食店の近隣の他業種店舗等をＰＲするものであってもよく、また、日常生活で利用しやすく、あるいは有用な、各種の連絡先を示す電話番号等であってもよい。さらにまた、例えば、生活の知恵についての一口メモに宣伝広告を付記したものであってもよい。またさらに、情報表示片に表示される情報は、宣伝広告の内容を文字で表示した形態のものに限らず、例えば、携帯電話で情報を認識することができる、いわゆるＱＲコードの形態であってもよい。この場合、携帯電話をＱＲコードにかざすことにより、直接にあるいはまたＵＲＬを介して、豊富な量の情報を得ることができる。
【００１８】
本考案に係る箸袋は、いわゆる祝い箸袋のように袋の一端を開放して箸の一端を袋から露出させる形態のものであってもよいが、情報表示片および箸を収容した状態で封緘された形態のものであると、衛生上より好ましく、また、収容した情報表示片が、箸を使用する前に脱落してしまうおそれを避けることができる。また、箸袋の材料は紙に限らず、樹脂フィルム等の適宜の材料を選択して用いることができる。
また、箸袋の表面に、箸袋の中に情報表示片が入っていることを示す文言等を表示しておくと、箸を使用する人の目に留まり、箸袋の中に情報表示片が入っていることを気づかせることができて好ましい。
【００１９】
なお、箸袋に入れる箸は、使い捨てされる割り箸であってもよく、また、繰り返し使用される箸であってもよい。
【００２０】
本考案に係る箸袋は、くじや宣伝広告等の有用な情報を記した情報表示片を収容するため、箸を使用する際に、箸とともに情報表示片を取り出して、容易に情報表示片を見ることができるので、情報表示片に表示された情報が有効に利用されやすい。
また、本考案に係る箸袋は、情報表示片を箸袋とは別に調製するため、情報表示片と箸袋とを自由に組み合わせることができ、例えば、異なる店名を表面に表示した箸袋に大量に調整した同一内容の情報表示片を入れて異なる店で同一内容の情報表示片を使用し、あるいはまた、１つの店で用いる箸袋に異なる内容の情報表示片を入れて情報表示片の種類を豊富化すること等を容易に行なうことができる。
【実施例】
【００２１】
以下、本考案に係る箸袋の具体例について説明する。
【００２２】
図１に示す箸袋１０は、矢印Ａで示す箸を入れるための袋本体１４と、箸Ａとともに袋本体１４に収容される情報表示片１２で構成される。袋本体１４は、図１中、右端が封緘されており、箸Ａおよび情報表示片１２を収容した後、左端がさらに封緘され、箸Ａおよび情報表示片１２が袋本体１４の内部に封入される。なお、箸Ａおよび情報表示片１２を収容した後、袋本体１４の左端を開放した状態のままとしてもよい。
【００２３】
情報表示片１２にはくじや宣伝広告等の適宜の情報を表示することができ、例えば、図２（ａ）に示す星座占い、図２（ｂ）に示すおみくじ、図２（ｃ）に示す生活上利便性の高い情報源の表示、あるいはまたＱＲコードの表示等を行なう。また、図２（ｂ）のおみくじには、さらに、箸を提供する飲食店の店名や電話番号等の宣伝広告情報が付記される。
【００２４】
また、箸袋１０は、図３に示すように、爪楊枝１６を入れた爪楊枝袋１８を情報表示片として用い、爪楊枝袋１８の表面に情報を表示したものであってもよい。そして、この爪楊枝袋１８を箸とともに袋本体に収容して用いる。
【００２５】
また、箸袋１０の袋本体は、図４に示すように、表面に「おてもと」の文言や店名等を表示するとともに、例えば「くじつき」の文言を表示しておく。
【図面の簡単な説明】
【００２６】
【図１】本考案の実施の形態に係る箸袋を示す図である。
【図２】箸袋に収容される情報表示片の例を説明する図であり、（ａ）は星座占い、（ｂ）はおみくじ、（ｃ）は生活上利便性の高い情報源、（ｄ）はＱＲコードをそれぞれ表示した情報表示片を示す。
【図３】情報表示片が爪楊枝を入れた爪楊枝袋である場合を説明する図である。
【図４】箸袋の袋本体の表面に「くじつき」の文言の表示を行なった例を説明する図である。
【符号の説明】
【００２７】
１０  箸袋
１２  情報表示片
１４  袋本体
１６  爪楊枝
１８  爪楊枝袋
【図１】
0003123829.tif 000003
【図２】
0003123829.tif 000004
【図３】
0003123829.tif 000005
【図４】
0003123829.tif 000006